【手続補正書】
【提出日】平成16年12月27日(2004.12.27)
【手続補正１】
【補正対象書類名】明細書
【補正対象項目名】発明の名称
【補正方法】変更
【補正の内容】
【発明の名称】カメラ制御装置、カメラ制御システム、カメラ制御装置の制御方法、及び記憶媒体
【手続補正２】
【補正対象書類名】明細書
【補正対象項目名】特許請求の範囲
【補正方法】変更
【補正の内容】
【特許請求の範囲】
【請求項１】
ネットワークを介してカメラに制御命令を出力することによってカメラを制御するカメラ制御装置において、
前記カメラによって撮像された画像を表示するための表示手段と、
前記カメラのズーム制御命令を入力するための入力手段と、
前記入力手段によって前記カメラのズーム制御命令が入力された場合、そのズーム制御命令に基づいて、前記表示手段によって表示されている画像の電子ズーム処理を実行する電子ズーム処理手段とを備えることを特徴とするカメラ制御装置。
【請求項２】
請求項１において、前記入力手段によってズーム制御命令が入力されてから所定時間経過後において、前記電子ズーム処理手段によって処理された画像の表示から前記カメラによって撮像された最新の画像の表示に切換える切換手段とを備えることを特徴とするカメラ制御装置。
【請求項３】
請求項１において、前記カメラのズーム制御完了通知が通知された場合、前記電子ズーム処理手段によって処理された画像の表示から前記画像出力手段によって前記カメラのズーム完了通知以降に出力される画像の表示に切換える切換手段とを備えることを特徴とするカメラ制御装置。
【請求項４】
請求項１において、さらに、前記電子ズーム処理手段は、前記カメラのズーム制御命令および前記ズームレンズの現在の動作情報に基づいて、前記ズームレンズの現在の動作情報とともに前記画像の電子ズーム処理を実行するように構成されていることを特徴とするカメラ制御装置。
【請求項５】
ネットワークを介してカメラに制御命令を出力することによってカメラを制御するカメラ制御装置において、
前記カメラによって撮像された画像を表示するための表示手段と、
前記カメラのズーム制御命令を入力するための入力手段と、
前記入力手段によって前記カメラのズーム制御命令が入力された場合、そのズーム制御命令によって制御される画像の表示領域を示す枠を前記表示手段によって表示されている画像に重畳して表示する表示処理手段とを備えることを特徴とするカメラ制御装置。
【請求項６】
ネットワークを介してカメラに制御命令を出力することによってカメラを制御するカメラ制御装置において、
前記カメラによって撮像された画像を表示するための表示手段と、
前記カメラの撮像方向の制御命令を入力するための入力手段と、
前記入力手段によって前記カメラの撮像方向の制御命令が入力された場合、その撮像方向の制御命令に基づいて制御された後の画像を予測し、その予測した画像に対応して、前記カメラの撮像方向の制御命令が入力されたときに前記表示手段によって表示されている画像の領域を移動させて表示する表示処理手段とを備えることを特徴とするカメラ制御装置。
【請求項７】
ネットワークを介して接続されたカメラに対して制御命令を出力することによってカメラを制御するカメラ制御装置であって、
前記カメラにより撮像した画像を表示する表示手段と、
前記カメラのズーム制御命令を入力する命令入力手段と、
前記命令入力手段により入力されたズーム制御命令と前記カメラからのズームレンズの位置情報とに基づいて、前記表示手段に表示された画像の電子ズーム処理を実行する電子ズーム処理手段と、
を有することを特徴とするカメラ制御装置。
【請求項８】
前記電子ズーム処理手段により処理される画像はフレーム画像であることを特徴とする請求項７に記載のカメラ制御装置。
【請求項９】
前記カメラから前記ズームレンズの位置情報を受信する受信手段をさらに有することを特徴とする請求項７に記載のカメラ制御装置。
【請求項１０】
カメラと、ネットワークを介してカメラに制御命令を出力することによってカメラを制御するカメラ制御装置とを含むカメラ制御システムにおいて、
前記カメラ制御装置は、
前記カメラによって撮像された画像を表示するための表示手段と、
前記カメラのズーム制御命令を入力するための入力手段と、
前記入力手段によって前記カメラのズーム制御命令が入力された場合、そのズーム制御命令に基づいて、前記表示手段によって表示されている画像の電子ズーム処理を実行する電子ズーム処理手段とを備えることを特徴とするカメラ制御システム。
【請求項１１】
カメラと、ネットワークを介してカメラに制御命令を出力することによってカメラを制御するカメラ制御装置とを含むカメラ制御システムにおいて、
前記カメラ制御装置は、
前記カメラによって撮像された画像を表示するための表示手段と、
前記カメラのズーム制御命令を入力するための入力手段と、
前記入力手段によって前記カメラのズーム制御命令が入力された場合、そのズーム制御命令によって制御される画像の表示領域を示す枠を前記表示手段によって表示されている画像に重畳して表示する表示処理手段とを備えることを特徴とするカメラ制御システム。
【請求項１２】
カメラと、ネットワークを介してカメラに制御命令を出力することによってカメラを制御するカメラ制御装置とを含むカメラ制御システムにおいて、
前記カメラ制御装置は、
前記カメラによって撮像された画像を表示するための表示手段と、
前記カメラの撮像方向の制御命令を入力するための入力手段と、
前記入力手段によって前記カメラの撮像方向の制御命令が入力された場合、その撮像方向の制御命令に基づいて制御された後の画像を予測し、その予測した画像に対応して、前記カメラの撮像方向の制御命令が入力されたときに前記表示手段によって表示されている画像の領域を移動させて表示する表示処理手段とを備えることを特徴とするカメラ制御システム。
【請求項１３】
カメラと、ネットワークを介してカメラに制御命令を出力することによってカメラを制御するカメラ制御装置とを含むカメラ制御システムにおいて、
前記カメラ制御装置は、
前記カメラにより撮像した画像を表示する表示手段と、
前記カメラのズーム制御命令を入力する命令入力手段と、
前記命令入力手段により入力されたズーム制御命令と前記カメラからのズームレンズの位置情報とに基づいて、前記表示手段に表示された画像の電子ズーム処理を実行する電子ズーム処理手段と、
を有することを特徴とするカメラ制御システム。
【請求項１４】
ネットワークを介してカメラに制御命令を出力することによってカメラを制御するカメラ制御装置の制御方法において、
前記カメラによって撮像された画像を表示するための表示工程と、
前記カメラのズーム制御命令を入力するための入力工程と、
前記入力工程によって前記カメラのズーム制御命令が入力された場合、そのズーム制御命令に基づいて、前記表示工程によって表示されている画像の電子ズーム処理を実行する電子ズーム処理工程とを備えることを特徴とするカメラ制御装置の制御方法。
【請求項１５】
ネットワークを介してカメラに制御命令を出力することによってカメラを制御するカメラ制御装置の制御方法において、
前記カメラによって撮像された画像を表示するための表示工程と、
前記カメラのズーム制御命令を入力するための入力工程と、
前記入力手段によって前記カメラのズーム制御命令が入力された場合、そのズーム制御命令によって制御される画像の表示領域を示す枠を前記表示工程によって表示されている画像に重畳して表示する表示処理工程とを備えることを特徴とするカメラ制御装置の制御方法。
【請求項１６】
ネットワークを介してカメラに制御命令を出力することによってカメラを制御するカメラ制御装置の制御方法において、
前記カメラによって撮像された画像を表示するための表示工程と、
前記カメラの撮像方向の制御命令を入力するための入力工程と、
前記入力工程によって前記カメラの撮像方向の制御命令が入力された場合、その撮像方向の制御命令に基づいて制御された後の画像を予測し、その予測した画像に対応して、前記カメラの撮像方向の制御命令が入力されたときに前記表示工程によって表示されている画像の領域を移動させて表示する表示処理工程とを備えることを特徴とするカメラ制御装置の制御方法。
【請求項１７】
ネットワークを介して接続されたカメラに対して制御命令を出力することによってカメラを制御するカメラ制御装置の制御方法であって、
前記カメラにより撮像した画像を表示する表示工程と、
前記カメラのズーム制御命令を入力する命令入力工程と、
前記命令入力工程により入力されたズーム制御命令と前記カメラからのズームレンズの位置情報とに基づいて、前記表示工程に表示された画像の電子ズーム処理を実行する電子ズーム処理工程と、を有することを特徴とするカメラ制御装置の制御方法。
【請求項１８】
ネットワークを介してカメラに制御命令を出力することによってカメラを制御するカメラ制御装置のプログラムを記憶した記憶媒体であって、
前記カメラによって撮像された画像を表示させ、
前記カメラのズーム制御命令を入力を可能とさせ、
前記カメラのズーム制御命令が入力された場合、そのズーム制御命令に基づいて、表示させている画像の電子ズーム処理を実行させるプログラムを記憶した記憶媒体。
【請求項１９】
ネットワークを介してカメラに制御命令を出力することによってカメラを制御するカメラ制御装置のプログラムを記憶した記憶媒体であって、
前記カメラによって撮像された画像を表示させ、
前記カメラのズーム制御命令を入力可能とさせ、
前記カメラのズーム制御命令が入力された場合、そのズーム制御命令によって制御される画像の表示領域を示す枠を表示されている画像に重畳して表示させるプログラムを記憶した記憶媒体。
【請求項２０】
ネットワークを介してカメラに制御命令を出力することによってカメラを制御するカメラ制御装置のプログラムを記憶した記憶媒体であって、
前記カメラによって撮像された画像を表示させ、
前記カメラの撮像方向の制御命令を入力可能とさせ、
前記カメラの撮像方向の制御命令が入力された場合、その撮像方向の制御命令に基づいて制御された後の画像を予測し、その予測した画像に対応して、前記カメラの撮像方向の制御命令が入力されたときに表示されている画像の領域を移動させて表示させる処理を実行するプログラムを記憶した記憶媒体。
【請求項２１】
ネットワークを介して接続されたカメラに対して制御命令を出力することによってカメラを制御するカメラ制御装置のプログラムを記憶した記憶媒体であって、
前記カメラにより撮像した画像を表示させ、
前記カメラのズーム制御命令を入力可能とさせ、
前記命令入力手段により入力されたズーム制御命令と前記カメラからのズームレンズの位置情報とに基づいて、前記表示手段に表示された画像の電子ズーム処理を実行させる処理を実行するプログラムを記憶した記憶媒体。
【手続補正３】
【補正対象書類名】明細書
【補正対象項目名】０００１
【補正方法】変更
【補正の内容】
【０００１】
【発明の属する技術分野】
本発明は、例えば、ネットワークを介してカメラ制御を実行するカメラ制御装置、カメラ制御システム、カメラ制御装置の制御方法、及び記憶媒体に関するものである。
【手続補正４】
【補正対象書類名】明細書
【補正対象項目名】０００６
【補正方法】変更
【補正の内容】
【０００６】
【課題を解決するための手段】
上述した目的を達成するために、本発明のカメラ制御装置は、ネットワークを介してカメラに制御命令を出力することによってカメラを制御するカメラ制御装置において、前記カメラによって撮像された画像を表示するための表示手段と、前記カメラのズーム制御命令を入力するための入力手段と、前記入力手段によって前記カメラのズーム制御命令が入力された場合、そのズーム制御命令に基づいて、前記表示手段によって表示されている画像の電子ズーム処理を実行する電子ズーム処理手段とを備えることを特徴とする。
また、本発明のカメラ制御装置は、ネットワークを介してカメラに制御命令を出力することによってカメラを制御するカメラ制御装置において、前記カメラによって撮像された画像を表示するための表示手段と、前記カメラのズーム制御命令を入力するための入力手段と、前記入力手段によって前記カメラのズーム制御命令が入力された場合、そのズーム制御命令によって制御される画像の表示領域を示す枠を前記表示手段によって表示されている画像に重畳して表示する表示処理手段とを備えることを特徴とする。
また、本発明のカメラ制御装置は、ネットワークを介してカメラに制御命令を出力することによってカメラを制御するカメラ制御装置において、前記カメラによって撮像された画像を表示するための表示手段と、前記カメラの撮像方向の制御命令を入力するための入力手段と、前記入力手段によって前記カメラの撮像方向の制御命令が入力された場合、その撮像方向の制御命令に基づいて制御された後の画像を予測し、その予測した画像に対応して、前記カメラの撮像方向の制御命令が入力されたときに前記表示手段によって表示されている画像の領域を移動させて表示する表示処理手段とを備えることを特徴とする。
また、本発明のカメラ制御装置は、ネットワークを介して接続されたカメラに対して制御命令を出力することによってカメラを制御するカメラ制御装置であって、前記カメラにより撮像した画像を表示する表示手段と、前記カメラのズーム制御命令を入力する命令入力手段と、前記命令入力手段により入力されたズーム制御命令と前記カメラからのズームレンズの位置情報とに基づいて、前記表示手段に表示された画像の電子ズーム処理を実行する電子ズーム処理手段と、を有することを特徴とする。
また、本発明のカメラ制御システムは、カメラと、ネットワークを介してカメラに制御命令を出力することによってカメラを制御するカメラ制御装置とを含むカメラ制御システムにおいて、前記カメラ制御装置は、前記カメラによって撮像された画像を表示するための表示手段と、前記カメラのズーム制御命令を入力するための入力手段と、前記入力手段によって前記カメラのズーム制御命令が入力された場合、そのズーム制御命令に基づいて、前記表示手段によって表示されている画像の電子ズーム処理を実行する電子ズーム処理手段とを備えることを特徴とする。
また、本発明のカメラ制御システムは、カメラと、ネットワークを介してカメラに制御命令を出力することによってカメラを制御するカメラ制御装置とを含むカメラ制御システムにおいて、前記カメラ制御装置は、前記カメラによって撮像された画像を表示するための表示手段と、前記カメラのズーム制御命令を入力するための入力手段と、前記入力手段によって前記カメラのズーム制御命令が入力された場合、そのズーム制御命令によって制御される画像の表示領域を示す枠を前記表示手段によって表示されている画像に重畳して表示する表示処理手段とを備えることを特徴とする。
また、本発明のカメラ制御システムは、カメラと、ネットワークを介してカメラに制御命令を出力することによってカメラを制御するカメラ制御装置とを含むカメラ制御システムにおいて、前記カメラ制御装置は、前記カメラによって撮像された画像を表示するための表示手段と、前記カメラの撮像方向の制御命令を入力するための入力手段と、前記入力手段によって前記カメラの撮像方向の制御命令が入力された場合、その撮像方向の制御命令に基づいて制御された後の画像を予測し、その予測した画像に対応して、前記カメラの撮像方向の制御命令が入力されたときに前記表示手段によって表示されている画像の領域を移動させて表示する表示処理手段とを備えることを特徴とする。
また、本発明のカメラ制御システムは、カメラと、ネットワークを介してカメラに制御命令を出力することによってカメラを制御するカメラ制御装置とを含むカメラ制御システムにおいて、前記カメラ制御装置は、前記カメラにより撮像した画像を表示する表示手段と、前記カメラのズーム制御命令を入力する命令入力手段と、前記命令入力手段により入力されたズーム制御命令と前記カメラからのズームレンズの位置情報とに基づいて、前記表示手段に表示された画像の電子ズーム処理を実行する電子ズーム処理手段と、を有することを特徴とする。
また、本発明のカメラ制御方法は、ネットワークを介してカメラに制御命令を出力することによってカメラを制御するカメラ制御装置の制御方法において、前記カメラによって撮像された画像を表示するための表示工程と、前記カメラのズーム制御命令を入力するための入力工程と、前記入力工程によって前記カメラのズーム制御命令が入力された場合、そのズーム制御命令に基づいて、前記表示工程によって表示されている画像の電子ズーム処理を実行する電子ズーム処理工程とを備えることを特徴とする。
また、本発明のカメラ制御方法は、ネットワークを介してカメラに制御命令を出力することによってカメラを制御するカメラ制御装置の制御方法において、前記カメラによって撮像された画像を表示するための表示工程と、前記カメラのズーム制御命令を入力するための入力工程と、前記入力手段によって前記カメラのズーム制御命令が入力された場合、そのズーム制御命令によって制御される画像の表示領域を示す枠を前記表示工程によって表示されている画像に重畳して表示する表示処理工程とを備えることを特徴とする。
また、本発明のカメラ制御方法は、ネットワークを介してカメラに制御命令を出力することによってカメラを制御するカメラ制御装置の制御方法において、前記カメラによって撮像された画像を表示するための表示工程と、前記カメラの撮像方向の制御命令を入力するための入力工程と、前記入力工程によって前記カメラの撮像方向の制御命令が入力された場合、その撮像方向の制御命令に基づいて制御された後の画像を予測し、その予測した画像に対応して、前記カメラの撮像方向の制御命令が入力されたときに前記表示工程によって表示されている画像の領域を移動させて表示する表示処理工程とを備えることを特徴とする。
また、本発明のカメラ制御方法は、ネットワークを介して接続されたカメラに対して制御命令を出力することによってカメラを制御するカメラ制御装置の制御方法であって、前記カメラにより撮像した画像を表示する表示工程と、前記カメラのズーム制御命令を入力する命令入力工程と、前記命令入力工程により入力されたズーム制御命令と前記カメラからのズームレンズの位置情報とに基づいて、前記表示工程に表示された画像の電子ズーム処理を実行する電子ズーム処理工程と、を有することを特徴とする。
また、本発明の記録媒体は、ネットワークを介してカメラに制御命令を出力することによってカメラを制御するカメラ制御装置のプログラムを記憶した記憶媒体であって、前記カメラによって撮像された画像を表示させ、前記カメラのズーム制御命令を入力を可能とさせ、前記カメラのズーム制御命令が入力された場合、そのズーム制御命令に基づいて、表示させている画像の電子ズーム処理を実行させるプログラムを記憶する。
また、本発明の記録媒体は、ネットワークを介してカメラに制御命令を出力することによってカメラを制御するカメラ制御装置のプログラムを記憶した記憶媒体であって、前記カメラによって撮像された画像を表示させ、前記カメラのズーム制御命令を入力可能とさせ、前記カメラのズーム制御命令が入力された場合、そのズーム制御命令によって制御される画像の表示領域を示す枠を表示されている画像に重畳して表示させるプログラムを記憶する。
また、本発明の記録媒体は、ネットワークを介してカメラに制御命令を出力することによってカメラを制御するカメラ制御装置のプログラムを記憶した記憶媒体であって、前記カメラによって撮像された画像を表示させ、前記カメラの撮像方向の制御命令を入力可能とさせ、前記カメラの撮像方向の制御命令が入力された場合、その撮像方向の制御命令に基づいて制御された後の画像を予測し、その予測した画像に対応して、前記カメラの撮像方向の制御命令が入力されたときに表示されている画像の領域を移動させて表示させる処理を実行するプログラムを記憶する。
また、本発明の記録媒体は、ネットワークを介して接続されたカメラに対して制御命令を出力することによってカメラを制御するカメラ制御装置のプログラムを記憶した記憶媒体であって、前記カメラにより撮像した画像を表示させ、前記カメラのズーム制御命令を入力可能とさせ、前記命令入力手段により入力されたズーム制御命令と前記カメラからのズームレンズの位置情報とに基づいて、前記表示手段に表示された画像の電子ズーム処理を実行させる処理を実行するプログラムを記憶する。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】